(57)【要約】【課題】アンモニアやアミン類等の塩基性ガスに対して優れた脱臭効果を有し、また安全に取り扱うことができ、水に溶解させて水溶液としても使用することができる脱臭剤を提供することを目的とする。【解決手段】リン酸二水素ナトリウムやリン酸二水素カリウムのリン酸二水素アルカリ金属塩と、塩化マグネシウム、硫酸マグネシウム、硝酸マグネシウム等の酸性マグネシウム塩を含有することを特徴とする脱臭剤。【選択図】  なし【特許請求の範囲】
【請求項１】
リン酸二水素アルカリ金属塩と酸性マグネシウム塩を含有することを特徴とする脱臭剤。
【請求項２】
リン酸二水素アルカリ金属塩と酸性マグネシウム塩の配合割合が等モルである請求項１記載の脱臭剤。
【請求項３】
酸性マグネシウム塩が硫酸マグネシウム、塩化マグネシウム及び硝酸マグネシウムから選ばれる１種または２種以上である請求項１または請求項２に記載の脱臭剤。
【発明の詳細な説明】
【０００１】
【発明の属する技術分野】
本発明は、ヘドロ、汚泥あるいは生ごみなどから発生するアンモニアやアミン類等の塩基性物質を主成分とする不快な悪臭ガスを効率的に除去すると共に、取り扱いが容易な脱臭剤に関するものである。
なおアミン類とは、公知の各種のアミン系化合物であって特に限定されるものではないが、ジメチルアミン、トリメチルアミンやトリエチルアミン等の比較的低沸点の含窒素化合物を云う。
【０００２】
【従来の技術】
アンモニアやアミン類等の塩基性物質を主成分とする悪臭ガスの脱臭が種々検討されている。例えば、特許文献１には、家畜の糞尿処理の際に発生する悪臭ガスを硫酸水溶液や塩酸水溶液等の酸性水溶液と接触させて、アンモニア、トリメチルアミン等の塩基性悪臭成分を除去する方法が記載されている。
しかしながら、このような酸性物質は人体に触れないよう取り扱いに注意が必要であり、また処理設備の機械装置の腐食対策を行わなければならないという問題点があった。
【０００３】
また、特許文献２には、主としてアンモニアを発生する下水汚泥、河川・湖沼・港湾ヘドロ、軟弱地盤土、建設残土、及び汚水スラッジ等の塩基性被処理物に対する脱臭処理材として、硫酸アルミニウムを含む粉体、石炭灰、及びゼオライトを含む配合物が提案されている。
前記脱臭剤は、中性ないし弱塩基性の物質であり、人体に対する安全性や機械装置に体する腐食の問題は改善されているが、水に溶解しないので、水と混合して使用する場合には、脱臭効果が充分に発揮されないという難点があった。
【０００４】
【特許文献１】
特開平５−１５７３２号公報（第２〜３頁）
【０００５】
【特許文献２】
特開平１０−２９５７９１号公報（第２頁）
【０００６】
【発明が解決しようとする課題】
本発明は斯かる問題点を鑑みてなされたものであって、アンモニアやアミン類等の塩基性ガスに対して優れた脱臭効果を有し、また安全に取り扱うことができ、水に溶解させて水溶液としても使用することができる脱臭剤を提供することを目的とする。
【０００７】
【課題を解決するための手段】
本発明者等は、前記の課題を解決するために鋭意研究を重ねた結果、リン酸二水素アルカリ金属塩と酸性マグネシウム塩を含有する脱臭剤が、所期の目的を達成しうることを見出し本発明を完成するに至った。
【０００８】
【発明の実施の形態】
本発明で使用するリン酸二水素アルカリ金属塩としては、リン酸二水素ナトリウムまたはリン酸二水素カリウムが挙げられる。また酸性マグネシウム塩としては、塩化マグネシウム、硫酸マグネシウム、硝酸マグネシウム等が挙げられる。
リン酸二水素アルカリ金属塩と酸性マグネシウム塩の配合割合はとくに制限はないが、等モルであることが好ましい。
【０００９】
脱臭剤の使用形態としては、固形の粉末、顆粒、錠剤あるいは水溶液の何れであっても構わない。
また、脱臭効果を高めるために、界面活性剤、分散剤、芳香剤などを任意に添加することができる。
【００１０】
【作用】
本発明の脱臭剤は、次のようなメカニズムによりアンモニアおよびアミン類を捕捉しているものと考えられる。即ち、アンモニアはリン酸二水素アルカリ金属塩及び酸性マグネシウム塩と反応することにより、リン酸アンモニウムマグネシウム塩が生成し固定化されるので、空気中への揮散を防止することができる。また、アミン類などの塩基性ガスは、リン酸二水素アルカリ金属塩との中和反応により固定化することができる。
【００１１】
【実施例】
以下、本発明を実施例および比較例によって具体的に説明するが、本発明はこれらに限定されるものではない。
なお、実施例および比較例で使用した原料ならびにガス検知管は次のとおりである。
【００１２】
［原料］
▲１▼リン酸二水素アルカリ金属塩
・リン酸二水素ナトリウム（和光純薬工業社製試薬）
・リン酸二水素カリウム（和光純薬工業社製試薬）
▲２▼酸性マグネシウム塩
・硫酸マグネシウム（和光純薬工業社製試薬）
・塩化マグネシウム（和光純薬工業社製試薬）
・硝酸マグネシウム（和光純薬工業社製試薬）
▲３▼塩基性マグネシウム
・酸化マグネシウム（和光純薬工業社製試薬）
・水酸化マグネシウム（和光純薬工業社製試薬）
▲４▼酸性化合物
・クエン酸（和光純薬工業社製試薬）
［ガス検知管］
・アンモニアガス用：ガステック社製、Ｎｏ．３Ｌａ
・トリメチルアミン、アミン系ガス用：ガステック社製、Ｎｏ．１８０
【００１３】
〔実施例１〕
＜脱臭剤の調製＞
リン酸二水素ナトリウムと硫酸マグネシウムを１：１のモル比で混合して脱臭剤を調製した。
＜アンモニアの脱臭試験＞
１Ｌの広口ビンに、０．０５％（ｗｔ／ｖ）のアンモニア水溶液を２００ｍｌ入れて蓋をして密閉して５分間放置し、広口ビン空間部のアンモニア濃度を安定化させた。この後、広口ビン中の空間部のアンモニア濃度をガス検知管で測定したところ１１５ｐｐｍであった。
次いで、前記脱臭剤０．１６ｇを広口ビンの中に入れ、開放状態で緩やかに３分間攪拌し、広口ビンを密封して２７分間静置した後、広口ビン中の空間部のアンモニア濃度をガス検知管で測定したところ２３ｐｐｍであった。
これらの試験結果を、表１に示した。
＜トリメチルアミンの脱臭試験＞
アンモニア水溶液に代えて、０．０３％（ｗｔ／ｖ）のトリメチルアミン水溶液を使用した以外は、アンモニアの脱臭試験と同様に行った。
これらの試験結果は、表１に示したとおりであった。
【００１４】
〔実施例２〕
リン酸二水素ナトリウムと塩化マグネシウムを１：１のモル比で混合して脱臭剤を調製した。
得られた脱臭剤について、実施例１と同様にして、アンモニアおよびトリメチルアミンの脱臭試験を行った。
これらの試験結果は、表１に示したとおりであった。
【００１５】
〔実施例３〕
リン酸二水素カリウムと硝酸マグネシウムを１：１のモル比で混合して脱臭剤を調製した。
得られた脱臭剤について、実施例１と同様にして、アンモニアおよびトリメチルアミンの脱臭試験を行った。
これらの試験結果は、表１に示したとおりであった。
【００１６】
〔比較例１〕
脱臭剤を使用しない以外は、実施例１と同様にして脱臭試験のブランクテストを行った。
これらの試験結果は、表１に示したとおりであった。
【００１７】
〔比較例２〕
リン酸二水素ナトリウムと酸化マグネシウムを１：１のモル比で混合して脱臭剤を調製した。
得られた脱臭剤について、実施例１と同様にして、アンモニアおよびトリメチルアミンの脱臭試験を行った。
これらの試験結果は、表１に示したとおりであった。
【００１８】
〔比較例３〕
リン酸二水素カリウムと水酸化マグネシウムを１：１のモル比で混合して脱臭剤を調製した。
得られた脱臭剤について、実施例１と同様にして、アンモニアおよびトリメチルアミンの脱臭試験を行った。
これらの試験結果は、表１に示したとおりであった。
【００１９】
【表１】
2004154253.tif 000002
【００２０】
表１の試験結果より、本発明の脱臭剤はアンモニアやトリメチルアミンに対する脱臭効果が優れているものと認められる。
【００２１】
〔実施例４〕
＜脱臭剤の調製＞
水１００ｍｌに、硫酸マグネシウム２０ｇ（０．１７モル）とリン酸二水素ナトリウム２０ｇ（０．１７モル）を溶解させて脱臭剤を調製した。
＜脱臭試験＞
悪臭が発生しているヘドロ２００ｍｌを１Ｌの広口ビンに入れた後、前記脱臭剤を０．５ｍｌ添加し攪拌混合した。
脱臭剤を添加する前、脱臭剤を添加して１日後、及び３日後のヘドロから発生するアンモニア及びアミン類をガス検知管で測定した。
得られた試験結果は、表２に示したとおりであった。
【００２２】
〔比較例４〕
水１００ｍｌに、リン酸二水素ナトリウム２０ｇを溶解させて脱臭剤を調製した。得られた脱臭剤について、実施例４と同様にして脱臭試験を行った。
得られた試験結果は、表２に示したとおりであった。
【００２３】
〔比較例５〕
水１００ｍｌに、硫酸マグネシウム２０ｇを溶解させて脱臭剤を調製した。得られた脱臭剤について、実施例４と同様にして脱臭試験を行った。
得られた試験結果は、表２に示したとおりであった。
【００２４】
【表２】
2004154253.tif 000003
【００２５】
表２の試験結果より、本発明の脱臭剤はヘドロから発生するアンモニアやアミン類を効率良く脱臭しているものと認められる。
【００２６】
【発明の効果】
本発明の脱臭剤は、アンモニアやアミン類等の塩基性ガスに対して優れた脱臭効果を有し、そのｐＨが中性に近いので安全に取り扱うことができ、水に溶解するので水溶液としても使用することができる等、産業上の利用効果は多大である。